(57)【特許請求の範囲】
【請求項１】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための画像処理方法であって、
前記携帯用端末が、前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する段階（１）と、
前記携帯用端末が、前記画像形成データ送信装置に格納された前記ファイルの画像形成要求を前記画像形成データ送信装置に送信する段階（２）と、
前記画像形成データ送信装置が、段階（２）で前記携帯用端末が送信した前記画像形成要求を受信し、前記画像形成要求に従って前記ファイルの画像形成データを作成する段階（３）と、
前記画像形成データ送信装置が、前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する段階（４）と、
前記画像形成データ送信装置が、段階（３）で作成した前記画像形成データを前記ファイルサーバにアップロードする段階（５）と、
前記画像形成装置が、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する段階（６）と、
前記画像形成装置が、前記画像形成データを前記ファイルサーバからダウンロードする段階（７）と、
前記画像形成装置が、段階（７）でダウンロードした前記画像形成データに基づいて画像形成を行う段階（８）と、
を順次有することを特徴とする画像処理方法。
【請求項２】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための画像処理方法であって、
前記携帯用端末が、公衆網、前記第１の内部ネットワークに接続された公衆網用認証サーバおよび前記第１の内部ネットワークを介して前記画像形成データ送信装置への接続を確立する段階（１）と、
前記携帯用端末が、前記画像形成データ送信装置に格納された前記ファイルの画像形成要求を前記画像形成データ送信装置に送信する段階（２）と、
前記画像形成データ送信装置が、段階（２）で前記携帯用端末が送信した前記画像形成要求を受信し、前記画像形成要求に従って前記ファイルの画像形成データを作成する段階（３）と、
前記画像形成データ送信装置が、前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する段階（４）と、
前記画像形成データ送信装置が、段階（３）で作成した前記画像形成データを前記ファイルサーバにアップロードする段階（５）と、
前記画像形成装置が、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する段階（６）と、
前記画像形成装置が、前記画像形成データを前記ファイルサーバからダウンロードする段階（７）と、
前記画像形成装置が、段階（７）でダウンロードした前記画像形成データに基づいて画像形成を行う段階（８）と、
を順次有することを特徴とする画像処理方法。
【請求項３】
前記画像形成データ送信装置が、段階（５）でアップロードした前記画像形成データの前記ファイルサーバ上の格納場所を示すデータを前記携帯用端末に送信する段階（９）と、
前記携帯用端末が、段階（９）で前記画像形成データ送信装置が送信した前記格納場所を示すデータを受信する段階（１０）と、
前記携帯用端末が、段階（１０）で受信した前記格納場所を示すデータを表示する段階（１１）と、
前記画像形成装置が、前記格納場所を示すデータの入力を受け付ける段階（１２）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、請求項１または２に記載の画像処理方法。
【請求項４】
前記画像形成データ送信装置が、段階（５）でアップロードした前記画像形成データの前記ファイルサーバ上の格納場所を示すデータを前記携帯用端末に送信する段階（９）と、
前記携帯用端末が、段階（９）で前記画像形成データ送信装置が送信した前記格納場所を示すデータを受信する段階（１０）と、
前記携帯用端末が、段階（１０）で受信した前記格納場所を示すデータを前記第２の内部ネットワークまたは近距離通信回線を介して前記画像形成装置に転送する段階（１３）と、
前記画像形成装置が、段階（１３）で前記携帯用端末が転送した前記格納場所を示すデータを受信する段階（１４）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、請求項１または２に記載の画像処理方法。
【請求項５】
前記ファイルサーバが、段階（５）で前記画像形成データ送信装置がアップロードした前記画像形成データの前記ファイルサーバ上の格納場所を示すデータを前記携帯用端末に送信する段階（１５）と、
前記携帯用端末が、段階（１５）で前記ファイルサーバが送信した前記格納場所を示すデータを受信する段階（１６）と、
前記携帯用端末が、段階（１６）で受信した前記格納場所を示すデータを表示する段階（１７）と、
前記画像形成装置が、前記格納場所を示すデータの入力を受け付ける段階（１８）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、請求項１または２に記載の画像処理方法。
【請求項６】
前記ファイルサーバが、段階（５）で前記画像形成データ送信装置がアップロードした前記画像形成データの前記ファイルサーバ上の格納場所を示すデータを前記携帯用端末に送信する段階（１５）と、
前記携帯用端末が、段階（１５）で前記ファイルサーバが送信した前記格納場所を示すデータを受信する段階（１６）と、
前記携帯用端末が、段階（１６）で受信した前記格納場所を示すデータを前記第２の内部ネットワークまたは近距離通信回線を介して前記画像形成装置に転送する段階（１９）と、
前記画像形成装置が、段階（１９）で前記携帯用端末が転送した前記格納場所を示すデータを受信する段階（２０）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、請求項１または２に記載の画像処理方法。
【請求項７】
前記画像形成装置は印刷装置であり、前記画像形成データは印刷ジョブである請求項１〜６のいずれか１項に記載の画像処理方法。
【請求項８】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを備えてなり、前記画像形成データ送信装置に格納されたファイルを前記画像形成装置で画像形成するための画像処理システムであって、
前記携帯用端末は、前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有し、
前記画像形成データ送信装置は、前記画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有し、
前記画像形成装置は、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像処理システム。
【請求項９】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを備えてなり、前記画像形成データ送信装置に格納されたファイルを前記画像形成装置で画像形成するための画像処理システムであって、
前記携帯用端末は、公衆網、前記第１の内部ネットワークに接続された公衆網用認証サーバおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有し、
前記画像形成データ送信装置は、前記画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有し、
前記画像形成装置は、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像処理システム。
【請求項１０】
前記画像形成装置は印刷装置であり、前記画像形成データは印刷ジョブである請求項８または９に記載の画像処理システム。
【請求項１１】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末であって、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有することを特徴とする携帯用端末。
【請求項１２】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末であって、
公衆網、前記第１の内部ネットワークに接続された公衆網用認証サーバおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有することを特徴とする携帯用端末。
【請求項１３】
前記画像形成データ送信装置により前記ファイルサーバにアップロードされた前記ファイルの画像形成データの前記ファイルサーバ上の格納場所を示すデータを受信する格納場所データ受信手段と、
前記格納場所データ受信手段により受信した前記格納場所を示すデータを表示する格納場所データ表示手段と、をさらに有する請求項１１または１２に記載の携帯用端末。
【請求項１４】
前記画像形成データ送信装置により前記ファイルサーバにアップロードされた前記ファイルの画像形成データの前記ファイルサーバ上の格納場所を示すデータを受信する格納場所データ受信手段と、前記格納場所データ受信手段により受信した前記格納場所を示すデータを前記第２の内部ネットワークまたは近距離通信回線を介して前記画像形成装置に転送する格納場所データ転送手段と、をさらに有する請求項１１または１２に記載の携帯用端末。
【請求項１５】
前記画像形成装置は印刷装置であり、前記画像形成データは印刷ジョブである請求項１１〜１４のいずれか１項に記載の携帯用端末。
【請求項１６】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置であって、
前記ファイルを格納するファイル格納手段と、
前記ファイル格納手段に格納した前記ファイルの画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有することを特徴とする画像形成データ送信装置。
【請求項１７】
前記画像形成データアップロード手段によりアップロードした前記画像形成データの前記ファイルサーバ上の格納場所を示すデータを前記携帯用端末に送信する格納場所送信手段をさらに有する請求項１６に記載の画像形成データ送信装置。
【請求項１８】
前記画像形成装置は印刷装置であり、前記画像形成データは印刷ジョブである請求項１６または１７に記載の画像形成データ送信装置。
【請求項１９】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置であって、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データ送信装置により前記ファイルサーバにアップロードされた前記ファイルの画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像形成装置。
【請求項２０】
前記画像形成データの前記ファイルサーバ上の格納場所を示すデータの入力を受け付ける格納場所データ受付手段をさらに有し、
前記画像形成データダウンロード手段は、前記格納場所データ受付手段により受け付けた前記格納場所を示すデータに基づいて前記画像形成データを前記ファイルサーバ上の格納場所からダウンロードするものである請求項１９に記載の画像形成装置。
【請求項２１】
前記画像形成データの前記ファイルサーバ上の格納場所を示すデータを前記第２の内部ネットワークまたは近距離通信回線を介して前記携帯用端末から受信する格納場所データ受信手段をさらに有し、
前記画像形成データダウンロード手段は、前記格納場所データ受信手段により受信した前記格納場所を示すデータに基づいて前記画像形成データを前記ファイルサーバ上の格納場所からダウンロードするものである請求項１９に記載の画像形成装置。
【請求項２２】
前記画像形成装置は印刷装置であり、前記画像形成データは印刷ジョブである請求項１９〜２１のいずれか１項に記載の画像形成装置。
【請求項２３】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムであって、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするプログラム。
【請求項２４】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムであって、
公衆網、前記第１の内部ネットワークに接続された公衆網用認証サーバおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするプログラム。
【請求項２５】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置を制御するプログラムであって、
格納した前記ファイルの画像形成要求を前記携帯用端末から受信する手順（１）と、
手順（１）で受信した前記画像形成要求に従って前記ファイルの画像形成データを作成する手順（２）と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する手順（３）と、
手順（２）で作成した前記画像形成データを前記ファイルサーバにアップロードする手順（４）と、
を画像形成データ送信装置に実行させることを特徴とするプログラム。
【請求項２６】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置を制御するプログラムであって、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する手順（１）と、
前記画像形成データ送信装置により前記ファイルサーバにアップロードされた前記ファイルの画像形成データを前記ファイルサーバからダウンロードする手順（２）と、
手順（２）でダウンロードした前記画像形成データに基づいて印刷を行う手順（３）と、
を画像形成装置に実行させることを特徴とするプログラム。
【請求項２７】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムを記録したコンピュータ読み取り可能な記録媒体であって、前記プログラムは、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするコンピュータ読み取り可能な記録媒体。
【請求項２８】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムを記録したコンピュータ読み取り可能な記録媒体であって、前記プログラムは、
公衆網、前記第１の内部ネットワークに接続された公衆網用認証サーバおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするコンピュータ読み取り可能な記録媒体。
【請求項２９】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置を制御するプログラムを記録したコンピュータ読み取り可能な記録媒体であって、前記プログラムは、
格納した前記ファイルの画像形成要求を前記携帯用端末から受信する手順（１）と、
手順（１）で受信した前記画像形成要求に従って前記ファイルの画像形成データを作成する手順（２）と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する手順（３）と、
手順（２）で作成した前記画像形成データを前記ファイルサーバにアップロードする手順（４）と、
を画像形成データ送信装置に実行させることを特徴とするコンピュータ読み取り可能な記録媒体。
【請求項３０】
第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置を制御するプログラムを記録したコンピュータ読み取り可能な記録媒体であって、前記プログラムは、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する手順（１）と、
前記画像形成データ送信装置により前記ファイルサーバにアップロードされた前記ファイルの画像形成データを前記ファイルサーバからダウンロードする手順（２）と、
手順（２）でダウンロードした前記画像形成データに基づいて印刷を行う手順（３）と、
を画像形成装置に実行させることを特徴とするコンピュータ読み取り可能な記録媒体。
【発明の詳細な説明】
【０００１】
【発明の属する技術分野】
本発明は、携帯用端末と外部ネットワーク上のファイルサーバとを用いて、第１のイントラネット上の画像形成データ送信装置に格納されたファイルを第２のイントラネット上の画像形成装置で画像形成するための画像処理方法および画像処理システムに関する。
【０００２】
【従来の技術】
たとえば、日頃イントラネットＸの環境下においてイントラネットＸに接続されたパソコンを使用しているユーザが、出張等でイントラネットＹの環境下に移動した場合において、イントラネットＸに接続された自己のパソコンに保存されているファイルを出張先のイントラネットＹに接続されたプリンタから印刷したりモニタに表示したい場合がある。
【０００３】
かかる場合、予めフローピーディスク等の記録媒体等にファイルを格納して持参することも可能であるが、ファイルの格納作業が煩雑であり、また全てのファイルを格納して持参するわけにはいかず、急遽持参しなかった他のファイルを印刷する必要が生じた場合等に対応することができない。
【０００４】
そこで、自己のパソコンを遠隔操作し、自己のパソコンに格納されたファイルのうち印刷等を行いたいものだけをインターネット等の外部ネットワークを介してプリンタに転送して印刷等する方法が考えられるが、上記環境下においては、イントラネットＸおよびイントラネットＹにそれぞれ設置されたファイアウォールが障害となってこのようなファイル転送が行えないという問題があった。
【０００５】
【発明が解決しようとする課題】
本発明は上記従来技術の有する問題点に鑑みなされたものであり、その目的とするところは、携帯用端末と外部ネットワーク上のファイルサーバとを用いて、ファイアウォールを障害とすることなく第１のイントラネット上の画像形成データ送信装置に格納されたファイルを第２のイントラネット上の画像形成装置で画像形成することができる画像処理方法および画像処理システムを提供することにある。
【０００６】
【課題を解決するための手段】
上記目的は、本発明の、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための画像処理方法であって、
前記携帯用端末が、前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する段階（１）と、
前記携帯用端末が、前記画像形成データ送信装置に格納された前記ファイルの画像形成要求を前記画像形成データ送信装置に送信する段階（２）と、
前記画像形成データ送信装置が、段階（２）で前記携帯用端末が送信した前記画像形成要求を受信し、前記画像形成要求に従って前記ファイルの画像形成データを作成する段階（３）と、
前記画像形成データ送信装置が、前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する段階（４）と、
前記画像形成データ送信装置が、段階（３）で作成した前記画像形成データを前記ファイルサーバにアップロードする段階（５）と、
前記画像形成装置が、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する段階（６）と、
前記画像形成装置が、前記画像形成データを前記ファイルサーバからダウンロードする段階（７）と、
前記画像形成装置が、段階（７）でダウンロードした前記画像形成データに基づいて画像形成を行う段階（８）と、
を順次有することを特徴とする画像処理方法により達成される。
【０００７】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための画像処理方法であって、
前記携帯用端末が、公衆網、前記第１の内部ネットワークに接続された公衆網用認証サーバおよび前記第１の内部ネットワークを介して前記画像形成データ送信装置への接続を確立する段階（１）と、
前記携帯用端末が、前記画像形成データ送信装置に格納された前記ファイルの画像形成要求を前記画像形成データ送信装置に送信する段階（２）と、
前記画像形成データ送信装置が、段階（２）で前記携帯用端末が送信した前記画像形成要求を受信し、前記画像形成要求に従って前記ファイルの画像形成データを作成する段階（３）と、
前記画像形成データ送信装置が、前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する段階（４）と、
前記画像形成データ送信装置が、段階（３）で作成した前記画像形成データを前記ファイルサーバにアップロードする段階（５）と、
前記画像形成装置が、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する段階（６）と、
前記画像形成装置が、前記画像形成データを前記ファイルサーバからダウンロードする段階（７）と、
前記画像形成装置が、段階（７）でダウンロードした前記画像形成データに基づいて画像形成を行う段階（８）と、
を順次有することを特徴とする画像処理方法である。
【０００８】
本発明はまた、前記画像形成データ送信装置が、段階（５）でアップロードした前記画像形成データの前記ファイルサーバ上の格納場所を示すデータを前記携帯用端末に送信する段階（９）と、
前記携帯用端末が、段階（９）で前記画像形成データ送信装置が送信した前記格納場所を示すデータを受信する段階（１０）と、
前記携帯用端末が、段階（１０）で受信した前記格納場所を示すデータを表示する段階（１１）と、
前記画像形成装置が、前記格納場所を示すデータの入力を受け付ける段階（１２）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、前記画像処理方法である。
【０００９】
本発明はまた、前記画像形成データ送信装置が、段階（５）でアップロードした前記画像形成データの前記ファイルサーバ上の格納場所を示すデータを前記携帯用端末に送信する段階（９）と、
前記携帯用端末が、段階（９）で前記画像形成データ送信装置が送信した前記格納場所を示すデータを受信する段階（１０）と、
前記携帯用端末が、段階（１０）で受信した前記格納場所を示すデータを前記第２の内部ネットワークまたは近距離通信回線を介して前記画像形成装置に転送する段階（１３）と、
前記画像形成装置が、段階（１３）で前記携帯用端末が転送した前記格納場所を示すデータを受信する段階（１４）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、前記画像処理方法である。
【００１０】
本発明はまた、前記ファイルサーバが、段階（５）で前記画像形成データ送信装置がアップロードした前記画像形成データの前記ファイルサーバ上の格納場所を示すデータを前記携帯用端末に送信する段階（１５）と、
前記携帯用端末が、段階（１５）で前記ファイルサーバが送信した前記格納場所を示すデータを受信する段階（１６）と、
前記携帯用端末が、段階（１６）で受信した前記格納場所を示すデータを表示する段階（１７）と、
前記画像形成装置が、前記格納場所を示すデータの入力を受け付ける段階（１８）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、前記画像処理方法である。
【００１１】
本発明はまた、前記ファイルサーバが、段階（５）で前記画像形成データ送信装置がアップロードした前記画像形成データの前記ファイルサーバ上の格納場所を示すデータを前記携帯用端末に送信する段階（１５）と、
前記携帯用端末が、段階（１５）で前記ファイルサーバが送信した前記格納場所を示すデータを受信する段階（１６）と、
前記携帯用端末が、段階（１６）で受信した前記格納場所を示すデータを前記第２の内部ネットワークまたは近距離通信回線を介して前記画像形成装置に転送する段階（１９）と、
前記画像形成装置が、段階（１９）で前記携帯用端末が転送した前記格納場所を示すデータを受信する段階（２０）と、を段階（５）と段階（６）の間に順次有し、
段階（７）において、前記画像形成装置は、前記格納場所を示すデータに基づいて前記画像形成データを前記ファイルサーバ上の格納場所からダウンロードするものである、前記画像処理方法である。
【００１２】
本発明はまた、前記画像形成装置は印刷装置であり、前記画像形成データは印刷ジョブである前記画像処理方法である。
【００１３】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを備えてなり、前記画像形成データ送信装置に格納されたファイルを前記画像形成装置で画像形成するための画像処理システムであって、
前記携帯用端末は、前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有し、
前記画像形成データ送信装置は、前記画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有し、
前記画像形成装置は、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像処理システムである。
【００１４】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを備えてなり、前記画像形成データ送信装置に格納されたファイルを前記画像形成装置で画像形成するための画像処理システムであって、
前記携帯用端末は、公衆網、前記第１の内部ネットワークに接続された公衆網用認証サーバおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有し、
前記画像形成データ送信装置は、前記画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有し、
前記画像形成装置は、前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像処理システムである。
【００１５】
本発明はまた、前記画像形成装置は印刷装置であり、前記画像形成データは印刷ジョブである前記画像処理システムである。
【００１６】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末であって、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有することを特徴とする携帯用端末である。
【００１７】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末であって、
公衆網、前記第１の内部ネットワークに接続された公衆網用認証サーバおよび前記第１の内部ネットワークを介して前記画像形成データ送信装置への接続を確立する接続確立手段と、
前記画像形成データ送信装置に格納された前記ファイルの画像形成要求を前記画像形成データ送信装置に送信する画像形成要求送信手段と、を有することを特徴とする携帯用端末である。
【００１８】
本発明はまた、前記画像形成データ送信装置により前記ファイルサーバにアップロードされた前記ファイルの画像形成データの前記ファイルサーバ上の格納場所を示すデータを受信する格納場所データ受信手段と、
前記格納場所データ受信手段により受信した前記格納場所を示すデータを表示する格納場所データ表示手段と、
をさらに有する前記携帯用端末である。
【００１９】
本発明はまた、前記画像形成データ送信装置により前記ファイルサーバにアップロードされた前記ファイルの画像形成データの前記ファイルサーバ上の格納場所を示すデータを受信する格納場所データ受信手段と、
前記格納場所データ受信手段により受信した前記格納場所を示すデータを前記第２の内部ネットワークまたは近距離通信回線を介して前記画像形成装置に転送する格納場所データ転送手段と、
をさらに有する前記携帯用端末である。
【００２０】
本発明はまた、前記画像形成装置は印刷装置であり、前記画像形成データは印刷ジョブである前記携帯用端末である。
【００２１】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置であって、
前記ファイルを格納するファイル格納手段と、
前記ファイル格納手段に格納した前記ファイルの画像形成要求を前記携帯用端末から受信する画像形成要求受信手段と、
前記画像形成要求受信手段により受信した前記画像形成要求に従って前記ファイルの画像形成データを作成する画像形成データ作成手段と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する接続確立手段と、
前記画像形成データ作成手段により作成した前記画像形成データを前記ファイルサーバにアップロードする画像形成データアップロード手段と、を有することを特徴とする画像形成データ送信装置である。
【００２２】
本発明はまた、前記画像形成データアップロード手段によりアップロードした前記画像形成データの前記ファイルサーバ上の格納場所を示すデータを前記携帯用端末に送信する格納場所送信手段をさらに有する請求項１６に記載の画像形成データ送信装置である。
【００２３】
本発明はまた、前記画像形成装置は印刷装置であり、前記画像形成データは印刷ジョブである前記画像形成データ送信装置である。
【００２４】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置であって、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する接続確立手段と、
前記画像形成データ送信装置により前記ファイルサーバにアップロードされた前記ファイルの画像形成データを前記ファイルサーバからダウンロードする画像形成データダウンロード手段と、
前記画像形成データダウンロード手段によりダウンロードした前記画像形成データに基づいて画像形成を行う画像形成手段と、を有することを特徴とする画像形成装置である。
【００２５】
本発明はまた、前記画像形成データの前記ファイルサーバ上の格納場所を示すデータの入力を受け付ける格納場所データ受付手段をさらに有し、
前記画像形成データダウンロード手段は、前記格納場所データ受付手段により受け付けた前記格納場所を示すデータに基づいて前記画像形成データを前記ファイルサーバ上の格納場所からダウンロードするものである前記画像形成装置である。
【００２６】
本発明はまた、前記画像形成データの前記ファイルサーバ上の格納場所を示すデータを前記第２の内部ネットワークまたは近距離通信回線を介して前記携帯用端末から受信する格納場所データ受信手段をさらに有し、
前記画像形成データダウンロード手段は、前記格納場所データ受信手段により受信した前記格納場所を示すデータに基づいて前記画像形成データを前記ファイルサーバ上の格納場所からダウンロードするものである前記画像形成装置である。
【００２７】
本発明はまた、前記画像形成装置は印刷装置であり、前記画像形成データは印刷ジョブである前記画像形成装置である。
【００２８】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムであって、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするプログラムである。
【００２９】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムであって、
公衆網、前記第１の内部ネットワークに接続された公衆網用認証サーバおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするプログラムである。
【００３０】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置を制御するプログラムであって、
格納した前記ファイルの画像形成要求を前記携帯用端末から受信する手順（１）と、
手順（１）で受信した前記画像形成要求に従って前記ファイルの画像形成データを作成する手順（２）と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する手順（３）と、
手順（２）で作成した前記画像形成データを前記ファイルサーバにアップロードする手順（４）と、
を画像形成データ送信装置に実行させることを特徴とするプログラムである。
【００３１】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置を制御するプログラムであって、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する手順（１）と、
前記画像形成データ送信装置により前記ファイルサーバにアップロードされた前記ファイルの画像形成データを前記ファイルサーバからダウンロードする手順（２）と、
手順（２）でダウンロードした前記画像形成データに基づいて印刷を行う手順（３）と、
を画像形成装置に実行させることを特徴とするプログラムである。
【００３２】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムを記録したコンピュータ読み取り可能な記録媒体であって、前記プログラムは、
前記第１および第２のファイアウォールにおいて内部ネットワークと外部ネットワークとの間の双方向の接続が許可されたプロトコルを用いて、前記第２の内部ネットワーク、前記第２のファイアウォール、前記外部ネットワーク、前記第１のファイアウォールおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするコンピュータ読み取り可能な記録媒体である。
【００３３】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記携帯用端末を制御するプログラムを記録したコンピュータ読み取り可能な記録媒体であって、前記プログラムは、
公衆網、前記第１の内部ネットワークに接続された公衆網用認証サーバおよび前記第１の内部ネットワークを介して前記画像形成データ送信装置への接続を確立する手順（１）と、
前記画像形成データ送信装置に格納されたファイルの画像形成要求を前記画像形成データ送信装置に送信する手順（２）と、
を携帯用端末に実行させることを特徴とするコンピュータ読み取り可能な記録媒体である。
【００３４】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成データ送信装置を制御するプログラムを記録したコンピュータ読み取り可能な記録媒体であって、前記プログラムは、
格納した前記ファイルの画像形成要求を前記携帯用端末から受信する手順（１）と、
手順（１）で受信した前記画像形成要求に従って前記ファイルの画像形成データを作成する手順（２）と、
前記第１のファイアウォールにおいて内部ネットワークから外部ネットワークへの接続のみが許可されたプロトコルを用いて、前記第１の内部ネットワーク、前記第１のファイアウォールおよび前記外部ネットワークを介して前記ファイルサーバへの接続を確立する手順（３）と、
手順（２）で作成した前記画像形成データを前記ファイルサーバにアップロードする手順（４）と、
を画像形成データ送信装置に実行させることを特徴とするコンピュータ読み取り可能な記録媒体である。
【００３５】
本発明はまた、第１のファイアウォールの内側に構築された第１の内部ネットワークに接続された画像形成データ送信装置と、第２のファイアウォールの内側に構築された第２の内部ネットワークに接続された画像形成装置と、前記第１のファイアウォールおよび前記第２のファイアウォールの外側に構築された外部ネットワークに接続されたファイルサーバと、前記第２の内部ネットワークの環境下にいるユーザにより操作される携帯用端末とを用いて、前記画像形成データ送信装置に格納されたファイルを前記画像形成装置で画像形成するための前記画像形成装置を制御するプログラムを記録したコンピュータ読み取り可能な記録媒体であって、前記プログラムは、
前記第２のファイアウォールにおいて内部ネットワークから外部ネットワークへの接続のみが許可されたプロトコルを用いて、前記第２の内部ネットワーク、前記第２のファイアウォールおよび前記外部ネットワークを介して前記ファイルサーバへの接続を確立する手順（１）と、
前記画像形成データ送信装置により前記ファイルサーバにアップロードされた前記ファイルの画像形成データを前記ファイルサーバからダウンロードする手順（２）と、
手順（２）でダウンロードした前記画像形成データに基づいて印刷を行う手順（３）と、を画像形成装置に実行させることを特徴とするコンピュータ読み取り可能な記録媒体である。
【００３６】
【発明の実施の形態】
以下、図面を使って本発明の実施の形態を説明する。
【００３７】
図１は、本発明の第１の実施形態にかかる画像処理システムの全体構成を示すブロック図である。本実施形態にかかる画像処理システムは、携帯用端末としての携帯電話１ａ、画像形成データ送信装置としてのパソコン２、画像形成装置としてのプリンタ３ａ、およびファイルサーバ４を備えている。
【００３８】
図１において、ファイアウォール５ａの内側には内部ネットワーク６ａが構築されてイントラネットＸを構成しており、ファイアウォール５ｂの内側には内部ネットワーク６ｂが構築されてイントラネットＹを構成している。ファイアウォール５ａおよびファイアウォール５ｂの外側には、インターネット等のオープンネットワークを含む外部ネットワーク７が構築されている。携帯電話１ａは、本実施形態においては、イントラネットＹの内部ネットワーク６ｂに接続されて利用される。パソコン２はイントラネットＸの内部ネットワーク６ａに接続されており、プリンタ３はイントラネットＹの内部ネットワーク６ｂに接続されている。また、ファイルサーバ４は外部ネットワーク７に接続されている。本実施形態は、イントラネットＹの環境下にいるユーザが、携帯電話１ａを用いて、遠隔地のイントラネットＸの内部ネットワーク６ａに接続されたパソコン２に格納されたファイルを、イントラネットＹの内部ネットワーク６ｂに接続されたプリンタ３ａから印刷しようとするものである。
【００３９】
つぎに、上記各機器の構成について説明するが、各機器で同様の機能を有する部分については、説明の重複を避けるため初回のみその説明を行い、二回目以降はその説明を省略する。
【００４０】
図２は、本実施形態における携帯電話１ａの構成の一例を示すブロック図である。図２において、携帯電話１ａは、ＣＰＵ１０１、ＲＯＭ１０２、ＲＡＭ１０３、ディスプレイ１０４、入力キー１０５、マイク１０６、スピーカ１０７、移動通信インタフェース１０８、ネットワークインタフェース１０９、およびバス１１０を有する。
【００４１】
ＣＰＵ１０１は制御と演算の各種処理を行い、ＲＯＭ１０２は各種プログラムを記憶し、ＲＡＭ１０３は作業領域として一時的にデータを記憶する。ディスプレイ１０４は各種の表示を行い、入力キー１０５は各種の入力を行うために使用され、マイク１０６は音声を入力するために使用され、スピーカ１０７は音声を出力する。移動通信インタフェース１０８は、所定の周波数帯の電波を用いて移動通信網に接続して移動通信を行うためのインタフェースであり、ネットワークインタフェース１０９は、ネットワークに接続しネットワーク上の他の機器と通信するためのインタフェースである。上記各部は、信号をやり取りするためのバス１１０で相互に接続されている。
【００４２】
本実施形態において、携帯電話１ａは後述する所定の動作を行うが、このための携帯電話１ａの動作を制御するプログラムは、ＲＯＭ１０２に格納されている。
【００４３】
また、ネットワークインタフェース１０９は、ケーブル類を利用した有線通信によるものと電波や赤外線を利用した無線通信によるものの双方を含み、後者の場合には、Ｂｌｕｅｔｏｏｔｈ（ブルートゥース）、ＩＥＥＥ８０２.１１、ＨｏｍｅＲＦ、ＩｒＤＡ等の無線通信規格も適用可能である。なお、図示しないが、内部ネットワーク６ｂ上には、ネットワークインタフェース１０９に対応するインタフェース装置が設けられており、本実施形態においては、印刷処理の前段階として、携帯電話１ａは、ネットワークインタフェース１０９および前記インタフェース装置を介して内部ネットワーク６ｂ上の機器と通信可能な状態にあるものとする。
【００４４】
図３は、本実施形態におけるパソコン２の構成の一例を示すブロック図である。図３において、パソコン２は、ＣＰＵ２０１、ＲＯＭ２０２、ＲＡＭ２０３、ハードディスク２１１、ディスプレイ２０４、入力装置２１２、ネットワークインタフェース２０９、およびバス２１０を有する。
【００４５】
ハードディスク２１１はプログラムやデータを記憶し、入力装置２１２はキーボードやマウスなど各種の入力を行うために使用される。
【００４６】
本実施形態において、パソコン２は後述する所定の動作を行うが、このためのパソコン２の動作を制御するプログラムは、ＲＯＭ２０２またはハードディスク２１１に格納されている。
【００４７】
図４は、本実施形態におけるプリンタ３ａの構成の一例を示すブロック図である。図４において、プリンタ３ａは、ＣＰＵ３０１、ＲＯＭ３０２、ＲＡＭ３０３、操作パネル部３１３、印刷部３１４、ネットワークインタフェース３０９、およびバス３１０を有する。
【００４８】
操作パネル部３１３は、タッチパネル、タッチパネル外の固定キー、表示ランプ等で構成されており、各種の入力と表示を行うために使用される。印刷部３１４は、印刷ジョブに基づいて印刷を行う。
【００４９】
本実施形態において、プリンタ３ａは後述する所定の動作を行うが、このためのプリンタ３ａの動作を制御するプログラムは、ＲＯＭ３０２に格納されている。
【００５０】
ファイルサーバ４は、ファイルの格納および転送機能を有するコンピュータであり、外部ネットワーク７上に接続された公開サーバを利用することができる。公開サーバは、通常はファイアウォール５ａおよび５ｂの外側に構築されたバリアセグメント（非武装地帯（ＤＭＺ））と呼ばれるＬＡＮ上に設置されるが、本実施形態で利用できるファイルサーバは、かかる形態に限定されるものではない。
【００５１】
ファイアウォール５ａおよび５ｂは、内部ネットワークと外部ネットワークとの間のアクセスを管理し制限する機能を有するコンピュータまたは専用ハードウエアである。ファイアウォールには、通常その目的に応じて、内部ネットワークから外部ネットワークへの接続のみが可能に設定されたポートおよび外部ネットワークと内部ネットワークとの間の双方向の接続が可能に設定されたポートが設けられており、さらに通信に用いるプロトコルごとに、予め使用するポートが決められている。通常、前記内部ネットワークから外部ネットワークへの接続のみが可能に設定されたポートを使用するプロトコルとしてはＨＴＴＰ、ＦＴＰ等が、前記外部ネットワークと内部ネットワークとの間の双方向の接続が可能に設定されたポートを使用するプロトコルとしてはＳＭＴＰ等が割り当てられる。本実施形態においては、上記各機器はこれらのプロトコルを用いることにより前記各ポートを使用して、後述する特定の通信を行うものである。
【００５２】
内部ネットワーク６ａおよび６ｂは、たとえば、イーサネット（登録商標）、トークンリング、ＦＤＤＩなどのＬＡＮや、これらのＬＡＮ同士を専用線等で接続したＷＡＮで構成されている。なお、内部ネットワーク６ａおよび６ｂ上の機器の種類および台数は、実際には図１に示す例に限定されない。
【００５３】
外部ネットワーク７は、ファイアウォール５ａおよび５ｂの外側に構築されたネットワークであり、上述のバリアセグメントおよびインターネット等のオープンネットワークを含むものである。
【００５４】
つぎに、本実施形態における印刷処理システムの動作の概要を説明する。図５は、本実施形態における印刷処理システムの印刷処理手順を示すシーケンスチャートである。
【００５５】
まず、ユーザからの接続指示により、携帯電話１ａはパソコン２に接続要求を送信し（Ｓ１０１）、パソコン２から接続許可通知を受信することにより（Ｓ１０２）、携帯電話１ａからパソコン２への接続を確立する。携帯電話１ａからパソコン２への接続は、ファイアウォール５ａおよび５ｂにおいて内部ネットワークと外部ネットワークとの間の双方向の接続が許可されたプロトコルを用いて行われる。これにより、携帯電話１ａは、内部ネットワーク６ｂ、ファイアウォール５ｂの前記ポート、外部ネットワーク７、ファイアウォール５ａの前記ポートおよび内部ネットワーク６ａを介して、パソコン２への接続を確立することができる。
【００５６】
携帯電話１ａからパソコン２への接続が確立されると、携帯電話１ａはパソコン２にファイル参照要求を送信し（Ｓ１０３）、パソコン２からファイル情報を受信することにより（Ｓ１０４）、パソコン２のハードディスク２１１に格納された印刷可能なファイルについての情報を取得する。ついで、携帯電話１ａは、ユーザからの印刷指示により、指定されたファイルの印刷要求をパソコン２に送信する（Ｓ１０５）。
【００５７】
パソコン２は、受信した印刷要求に従って指定されたファイルの印刷ジョブを作成する（Ｓ１０６）。
【００５８】
ついで、パソコン２は、ファイルサーバ４に接続要求を送信し（Ｓ１０７）、ファイルサーバ４から接続許可通知を受信することにより（Ｓ１０８）、パソコン２からファイルサーバ４への接続を確立する。パソコン２からファイルサーバ４への接続は、ファイアウォール５ａにおいて内部ネットワークから外部ネットワークへの接続のみが許可されたプロトコルを用いて行われる。これにより、パソコン２は、内部ネットワーク６ａ、ファイアウォール５ａの前記ポートおよび外部ネットワーク７を介して、ファイルサーバ４への接続を確立することができる。
【００５９】
パソコン２からファイルサーバ４への接続が確立されると、パソコン２は作成した印刷ジョブをファイルサーバ４にアップロードし（Ｓ１０９）、アップロードが完了すると、パソコン２はアップロードした前記印刷ジョブのファイルサーバ４上の格納場所を示すデータとして、アップロード先のＵＲＬを携帯電話１ａに通知する（Ｓ１１０）。携帯電話１ａは、受信したＵＲＬをディスプレイ１０４に表示する（Ｓ１１１）。
【００６０】
プリンタ３ａは、ユーザから前記ＵＲＬの入力を受け付けると（Ｓ１１２）、ファイルサーバ４に接続要求を送信し（Ｓ１１３）、ファイルサーバ４から接続許可通知を受信することにより（Ｓ１１４）、プリンタ３ａからファイルサーバ４への接続を確立する。プリンタ３ａからファイルサーバ４への接続は、ファイアウォール５ｂにおいて内部ネットワークから外部ネットワークへの接続のみが許可されたプロトコルを用いて行われる。これにより、プリンタ３ａは、内部ネットワーク６ｂ、ファイアウォール５ｂの前記ポートおよび外部ネットワーク７を介して、ファイルサーバ４への接続を確立することができる。
【００６１】
プリンタ３ａからファイルサーバ４への接続が確立されると、プリンタ３ａは、前記ＵＲＬに基づいてファイルサーバ４に前記印刷ジョブのダウンロード要求を送信し（Ｓ１１５）、ファイルサーバ４に格納された前記印刷ジョブをダウンロードする（Ｓ１１６）。ついで、プリンタ３ａは、ダウンロードした印刷ジョブに基づいて印刷処理を行う（Ｓ１１７）。
【００６２】
つぎに、本実施形態における携帯電話１ａ、パソコン２およびプリンタ３ａの各動作を以下に詳細に説明する。
【００６３】
図６は、本実施形態における携帯電話１ａの印刷処理の手順を示すフローチャートである。まず、携帯電話１ａは、ユーザからパソコン２への接続指示の入力があるまで待機する（Ｓ２０１のＮＯ）。前記接続指示の入力は、ユーザが入力キー１０５を操作することにより行われる。前記接続指示には、ユーザーアカウント、ＩＤ、パスワード、接続するパソコンのホストネーム、ドメインネーム、ＩＰアドレス、携帯電話番号等のパソコン２への接続認証に必要な認証情報が含まれる。ただし、前記接続指示にこれらの情報を含めずに、予め前記認証情報を携帯電話１ａのＲＯＭ１０２に記憶しておいて、ユーザからの接続指示があった場合にこれらの情報を読み出して利用するものであってもよい。
【００６４】
携帯電話１ａは、ユーザからのパソコン２への接続指示の入力を受け付けると（Ｓ２０１のＹＥＳ）、パソコン２に接続要求を送信する（Ｓ２０２）。当該接続要求には、前記認証情報が含まれる。また、携帯電話１ａからパソコン２への接続は、上述のとおり、ファイアウォール５ａおよび５ｂにおいて内部ネットワークと外部ネットワークとの間の双方向の接続が許可されたプロトコル、例えばＳＭＴＰを用いて行われる。
【００６５】
前記接続要求を送信後、所定時間内にパソコン２から応答がない場合やパソコン２から接続拒絶通知を受信した場合等、パソコン２から接続許可通知を受信できなかった場合は（Ｓ２０３のＮＯ）、ディスプレイ１０４に接続エラーのメッセージを表示し（Ｓ２０４）、パソコン２との接続を終了する（Ｓ２１４）。パソコン２から接続許可通知を受信した場合は（Ｓ２０３のＹＥＳ）、ついで、パソコン２のハードディスク２１１に格納されたファイルを参照するためのファイル参照要求を送信する（Ｓ２０５）。
【００６６】
前記ファイル参照要求を送信後、所定時間内にパソコン２から応答がない場合等パソコン２からファイル情報を受信できなかった場合は（Ｓ２０６のＮＯ）、ディスプレイ１０４にファイル参照エラーのメッセージを表示し（Ｓ２０７）、パソコン２との接続を終了する（Ｓ２１４）。パソコン２からファイル情報を受信した場合は（Ｓ２０６のＹＥＳ）、受信したファイル情報をディスプレイ１０４に表示する（Ｓ２０８）。前記ファイル情報には、パソコン２のハードディスク２１１に格納されたファイルのファイル名やディレクトリ構造等の情報が含まれる。
【００６７】
ついで、携帯電話１ａは、ユーザからの印刷指示の入力があるまで待機する（Ｓ２０９のＮＯ）。前記印刷指示の入力は、ユーザが入力キー１０５を操作することにより行われる。前記印刷指示には、印刷するファイルの指定の他、印刷部数、用紙サイズ、倍率、濃度、印刷の向き、レイアウト（Ｎページ分のデータを１ページの出力データに配置する機能（Ｎｉｎ１）等）、片面・両面印刷、ソート、仕上げ機能（ステープル機能、折り機能、パンチホール機能など）等の印刷条件等の情報が含まれる。
【００６８】
ユーザからの印刷指示の入力を受け付けると（Ｓ２０９のＹＥＳ）、パソコン２に印刷要求を送信する（Ｓ２１０）。当該印刷要求には、上述の印刷するファイルの指定および印刷条件等の情報が含まれる。
【００６９】
前記印刷要求を送信後、所定時間内にパソコン２から応答がない場合や印刷ジョブアップロードエラー通知を受信した場合等、パソコン２からファイルサーバ４への印刷ジョブのアップロード先のＵＲＬを受信しなかった場合は（Ｓ２１１のＮＯ）、印刷ジョブアップロードエラーのメッセージをディスプレイ１０４に表示し（Ｓ２１２）、パソコン２との接続を終了する（Ｓ２１４）。パソコン２からファイルサーバ４への印刷ジョブのアップロード先のＵＲＬを受信した場合は（Ｓ２１１のＹＥＳ）、受信した前記ＵＲＬをディスプレイ１０４に表示し（Ｓ２１３）、パソコン２との接続を終了する（Ｓ２１４）。
【００７０】
図７は、本実施形態におけるパソコン２の印刷処理の手順を示すフローチャートである。まず、パソコン２は、携帯電話１ａから接続要求を受信するまで待機する（Ｓ３０１のＮＯ）。携帯電話１ａから接続要求を受信すると（Ｓ３０１のＹＥＳ）、受信した接続要求に含まれる認証情報に基づいて接続認証を行う（Ｓ３０２）。前記接続認証は、受信した認証情報を予めハードディスク２１１に格納されている認証情報と照合することにより行われる。認証情報が一致しない場合は（Ｓ３０３のＮＯ）、携帯電話に接続拒絶通知を送信し（Ｓ３０４）、認証情報が一致する場合には（Ｓ３０３のＹＥＳ）、携帯電話１ａに接続許可通知を送信する（Ｓ３０５）。
【００７１】
ついで、携帯電話１ａからファイル参照要求を受信するまで待機し（Ｓ３０６のＮＯ）、携帯電話１ａからファイル参照要求を受信すると（Ｓ３０６のＹＥＳ）、ハードディスクに格納されたファイルのうち印刷ジョブの作成可能なもののファイル名および当該ファイルが格納されているディレクトリの構造を含むファイル情報を作成し、当該ファイル情報を携帯電話１ａに送信する（Ｓ３０７）。
【００７２】
つぎに、携帯電話１ａから印刷要求を受信するまで待機し（Ｓ３０８のＮＯ）、携帯電話１ａから印刷要求を受信すると（Ｓ３０８のＹＥＳ）、受信した印刷要求において指定されたファイルについての印刷ジョブを作成する（Ｓ３０９）。前記印刷ジョブは、ファイルをプリンタの解釈可能なデータ形式に変換した印刷用データと、当該印刷用データをプリンタにおいて印刷する際に必要な印刷条件とを含むものである。プリンタの解釈可能なデータ形式とは、たとえばページ記述言語等の制御言語であり、かかる場合当該印刷ジョブを受信したプリンタが制御言語を解釈して印刷イメージ（ビットマップデータ）を作成する。また、印刷ジョブは、パソコンが直接印刷イメージを作成する場合には、作成したビットマップデータを印刷用データとして含み、さらに、プリンタがファイルを直接解釈可能な場合には、未変換のファイルを印刷用データとして含むものであってもよい。これら一連の印刷ジョブの作成作業、すなわち、ファイルから制御言語やビットマップデータへの変換および印刷条件の設定等はハードディスク２１１に格納されたプリンタドライバにより行われる。
【００７３】
印刷ジョブを作成後、ファイルサーバ４に接続要求を送信する（Ｓ３１０）。ここで、パソコン２のファイルサーバ４への接続は、上述のとおり、ファイアウォール５ａにおいて内部ネットワークから外部ネットワークへの接続のみが許可されたプロトコル、例えばＦＴＰやＨＴＴＰを用いて行われる。
【００７４】
前記接続要求を送信後、所定時間内にファイルサーバ４から応答がない場合やファイルサーバ４から接続拒絶通知を受信した場合等、ファイルサーバ４から接続許可通知を受信できなかった場合は（Ｓ３１１のＮＯ）、携帯電話１ａに印刷ジョブアップロードエラー通知を送信し（Ｓ３１２）、ファイルサーバ４との接続を終了する（Ｓ３１６）。ファイルサーバ４から接続許可通知を受信した場合は（Ｓ３１１のＹＥＳ）、作成した前記印刷ジョブをファイルサーバ４にアップロードする（Ｓ３１３）。
【００７５】
印刷ジョブのファイルサーバ４へのアップロードが完了したら（Ｓ３１４のＹＥＳ）、アップロード先のＵＲＬを携帯電話１ａに送信し（Ｓ３１５）、ファイルサーバ４との接続を終了する（Ｓ３１６）。
【００７６】
図８は、本実施形態におけるプリンタ３ａの動作を示すフローチャートである。まず、プリンタ３ａは、ユーザからの印刷ジョブアップロード先ＵＲＬの入力があるまで待機する（Ｓ４０１のＮＯ）。前記ＵＲＬの入力は、ユーザが操作パネル部３１３を操作することにより行われる。ユーザからのＵＲＬの入力を受け付けると（Ｓ４０１のＹＥＳ）、ファイルサーバ４に接続要求を送信する（Ｓ４０２）。ここで、プリンタ３ａのファイルサーバ４への接続は、上述のとおり、ファイアウォール５ｂにおいて内部ネットワークから外部ネットワークへの接続のみが許可されたプロトコル、例えばＦＴＰやＨＴＴＰを用いて行われる。
【００７７】
前記接続要求を送信後、所定時間内にファイルサーバ４から応答がない場合やファイルサーバ４から接続拒絶通知を受信した場合等、ファイルサーバ４から接続許可通知を受信できなかった場合は（Ｓ４０３のＮＯ）、操作パネル部３１３に印刷ジョブダウンロードエラーのメッセージを表示し（Ｓ４０４）、ファイルサーバ４との接続を終了する（Ｓ４０５）。ファイルサーバ４から接続許可通知を受信した場合は（Ｓ４０３のＹＥＳ）、前記ＵＲＬに基づいてファイルサーバ４に前記印刷ジョブのダウンロード要求を送信し（Ｓ４０６）、前記ＵＲＬで示されるファイルサーバ４上の前記印刷ジョブが格納されているディレクトリから前記印刷ジョブをダウンロードする（Ｓ４０７）。
【００７８】
印刷ジョブのファイルサーバ４からのダウンロードが完了したら（Ｓ４０８のＹＥＳ）、ファイルサーバ４との接続を終了し（Ｓ４０９）、ダウンロードした印刷ジョブに基づいて印刷処理を行う（Ｓ４１０）。この場合、プリンタ３ａは、ダウンロードした印刷ジョブに含まれる印刷用データがビットマップデータの場合はそれを用いて、制御言語または未処理ファイルの場合はラスタライズ処理を行って、付属する印刷条件に従って画像形成する。
【００７９】
図９は、本発明の第２の実施形態にかかる画像処理システムの全体構成を示すブロック図である。本実施形態にかかる画像処理システムは、携帯用端末としての携帯電話１ｂ、画像形成データ送信装置としてのパソコン２、画像形成装置としてのプリンタ３ｂ、およびファイルサーバ４を備えている。
【００８０】
本実施形態も前記第１の実施形態と同様に、イントラネットＹの環境下にいるユーザが、携帯電話１ｂを用いて、遠隔地のイントラネットＸの内部ネットワーク６ａに接続されたパソコン２に格納されたファイルを、イントラネットＹの内部ネットワーク６ｂに接続されたプリンタ３ｂから印刷しようとするものである。本実施形態にかかる印刷処理システムが前記第１の実施形態にかかる印刷処理システムと異なるのは、携帯電話１ｂが、公衆網９およびイントラネットＸの内部ネットワーク６ａに接続された公衆網用認証サーバ８を介してパソコン２と接続を確立する点、および携帯電話１ｂが、印刷ジョブのアップロード先ＵＲＬを近距離通信回線を介してプリンタ３ｂに転送する点にある。したがって、本実施形態おいてその他の各機器は、前記第１の実施形態において説明したのと同様の構成および機能を有し、同様の接続状態にある。
【００８１】
図１０は、本実施形態における携帯電話１ｂの構成の一例を示すブロック図である。図１０において、携帯電話１ｂは、ＣＰＵ１０１、ＲＯＭ１０２、ＲＡＭ１０３、ディスプレイ１０４、入力キー１０５、マイク１０６、スピーカ１０７、移動通信インタフェース１０８、近距離通信インタフェース１１１、およびバス１１０を有する。
【００８２】
近距離通信インタフェース１１１は、プリンタ３ａと相互に近距離通信を行うためのインタフェースである。ここで、近距離通信とは、ネットワークを介さないで行う近距離（通信可能距離が好ましくは１００ｍ以内、より好ましくは１０ｍ以内）の通信をいい、ケーブル類を利用した有線通信によるものと電波や赤外線を利用した無線通信によるものを含む。本発明で利用可能な近距離通信インタフェースの具体例としては、前者の場合は、ＲＳ−２３２Ｃ、ＩＥＥＥ１３９４、ＵＳＢ等のシリアルインタフェースによるものや、ＩＥＥＥ１２８４等のパラレルインタフェースによるもの等が挙げられ、後者の場合には、Ｂｌｕｅｔｏｏｔｈ（ブルートゥース）、ＩＥＥＥ８０２.１１、ＨｏｍｅＲＦ、ＩｒＤＡ等の無線通信規格によるものが挙げられる。
【００８３】
図１１は、本実施形態におけるプリンタ３ｂの構成の一例を示すブロック図である。図１１において、プリンタ３ｂは、ＣＰＵ３０１、ＲＯＭ３０２、ＲＡＭ３０３、操作パネル部３１３、印刷部３１４、ネットワークインタフェース３０９、近距離通信インタフェース３１１、およびバス３１０を有する。
【００８４】
近距離通信インタフェース３１１は、携帯電話１ｂと相互に近距離通信を行うためのインタフェースであり、携帯電話１ｂの近距離通信インタフェース１１１に対応させて近距離通信インタフェース１１１と同様のものを利用することができる。なお、本実施形態においては、印刷処理の前段階として、携帯電話１ａとプリンタ３ｂとは、近距離通信インタフェース１１１および３１１を介して相互に通信可能な状態にあるものとする。
【００８５】
公衆網９には、電話網、ＩＳＤＮ、パケット交換網等のデータ通信網等が含まれる。また、携帯電話１ｂの場合、移動通信インタフェース１０８から無線通信により最寄りの基地局に接続し、さらに移動通信網を介して電話網等に接続するものであるが、公衆網９はこれら基地局を含めた移動通信網も含むものである。
【００８６】
公衆網用認証サーバ８は、コンピュータまたは専用ハードウエアであり、公衆網９からの接続に対し接続認証を行う機能を有する。
【００８７】
つぎに、図１２のシーケンスチャートを用いて、本実施形態の印刷処理システムの動作の概要を説明する。
【００８８】
まず、ユーザからの接続指示により、携帯電話１ｂは公衆網９を介して公衆網用認証サーバ８に接続要求を送信し（Ｓ５０１）、公衆網用認証サーバ８から接続許可通知を受信する（Ｓ５０２）。これにより、携帯電話１ｂは、公衆網９、公衆網用認証サーバ８、および内部ネット内部ネットワーク６ａを介して、パソコン２への接続を確立する。
【００８９】
携帯電話１ｂからパソコン２への接続が確立されると、携帯電話１ａはパソコン２にファイル参照要求を送信し（Ｓ５０３）、パソコン２からファイル情報を受信する（Ｓ５０４）。ついで、携帯電話１ｂは、ユーザからの印刷指示により、指定されたファイルの印刷要求をパソコン２に送信する（Ｓ５０５）。
【００９０】
パソコン２は、受信した印刷要求に従って指定されたファイルの印刷ジョブを作成する（Ｓ５０６）。ついで、パソコン２は、ファイルサーバ４に接続要求を送信し（Ｓ５０７）、ファイルサーバ４から接続許可通知を受信することにより（Ｓ５０８）、パソコン２からファイルサーバ４への接続を確立する。パソコン２からファイルサーバ４への接続は、ファイアウォール５ａにおいて内部ネットワークから外部ネットワークへの接続のみが許可されたプロトコルを用いて行われる。
【００９１】
パソコン２からファイルサーバ４への接続が確立されると、パソコン２は作成した印刷ジョブをファイルサーバ４にアップロードし（Ｓ５０９）、アップロードが完了すると、アップロード先のＵＲＬを携帯電話１ｂに通知する（Ｓ５１０）。
【００９２】
携帯電話１ｂは、パソコン２から印刷ジョブアップロード先のＵＲＬを受信すると、受信したＵＲＬを近距離通信回線を介してプリンタに転送する（Ｓ５１１）。
【００９３】
プリンタ３ｂは、携帯電話１ｂから近距離通信回線を介して前記ＵＲＬを受信すると（Ｓ５１２）、ファイルサーバ４に接続要求を送信し（Ｓ５１３）、ファイルサーバ４から接続許可通知を受信することにより（Ｓ５１４）、プリンタ３ａからファイルサーバ４への接続を確立する。プリンタ３ａからファイルサーバ４への接続は、ファイアウォール５ｂにおいて内部ネットワークから外部ネットワークへの接続のみが許可されたプロトコルを用いて行われる。
【００９４】
プリンタ３ａからファイルサーバ４への接続が確立されると、プリンタ３ａは、前記ＵＲＬに基づいてファイルサーバ４に前記印刷ジョブのダウンロード要求を送信し（Ｓ５１５）、ファイルサーバ４に格納された前記印刷ジョブをダウンロードする（Ｓ５１６）。ついで、プリンタ３ａは、ダウンロードした印刷ジョブに基づいて印刷処理を行う（Ｓ５１７）。
【００９５】
つぎに、本実施形態における携帯電話１ｂ、公衆網用認証サーバ８、パソコン２およびプリンタ３ｂの各動作を以下に詳細に説明する。
【００９６】
図１３は、本実施形態における携帯電話１ｂの印刷処理の手順を示すフローチャートである。携帯電話１ｂは、ユーザからの印刷指示の入力があるまで待機し（Ｓ６０１のＮＯ）、ユーザからのパソコン２への接続指示の入力を受け付けると（Ｓ６０１のＹＥＳ）、公衆網９を介して公衆網用認証サーバ８に接続要求を送信する（Ｓ６０２）。
【００９７】
前記接続要求を送信後、所定時間内にパソコン２から応答がない場合やパソコン２から接続拒絶通知を受信した場合等、パソコン２から接続許可通知を受信できなかった場合は（Ｓ６０３のＮＯ）、ディスプレイ１０４に接続エラーのメッセージを表示し（Ｓ６０４）、公衆網用認証サーバ８との接続を終了する（Ｓ６１４）。公衆網用認証サーバ８から接続許可通知を受信した場合は（Ｓ６０３のＹＥＳ）、ついで、パソコン２にハードディスク２１１に格納されたファイルを参照するためのファイル参照要求を送信する（Ｓ６０５）。
【００９８】
前記ファイル参照要求を送信後、所定時間内にパソコン２から応答がない場合等パソコン２からファイル情報を受信できなかった場合は（Ｓ６０６のＮＯ）、ディスプレイ１０４にファイル参照エラーのメッセージを表示し（Ｓ６０７）、パソコン２との接続を終了する（Ｓ６１４）。パソコン２からファイル情報を受信した場合は（Ｓ６０６のＹＥＳ）、受信したファイル情報をディスプレイ１０４に表示する（Ｓ６０８）。
【００９９】
ついで、携帯電話１ａは、ユーザからの印刷指示の入力があるまで待機し（Ｓ６０９のＮＯ）、ユーザからの印刷指示の入力を受け付けると（Ｓ６０９のＹＥＳ）、パソコン２に印刷要求を送信する（Ｓ２１０）。
【０１００】
前記印刷要求を送信後、所定時間内にパソコン２から応答がない場合や印刷ジョブアップロードエラー通知を受信した場合等、パソコン２からファイルサーバ４への印刷ジョブのアップロード先のＵＲＬを受信しなかった場合は（Ｓ６１１のＮＯ）、印刷ジョブアップロードエラーのメッセージをディスプレイ１０４に表示し（Ｓ６１２）、パソコン２との接続を終了する（Ｓ６１４）。パソコン２からファイルサーバ４への印刷ジョブのアップロード先のＵＲＬを受信した場合は（Ｓ６１１のＹＥＳ）、受信した前記ＵＲＬをたとえばＢｌｕｅｔｏｏｔｈ等の近距離通信回線を介してプリンタ３ｂに転送し（Ｓ６１３）、パソコン２との接続を終了する（Ｓ６１４）。
【０１０１】
図１４は、本実施形態における公衆網用認証サーバ８の動作を示すフローチャートである。公衆網用認証サーバ８は、携帯電話１ｂから接続要求を受信するまで待機し（Ｓ７０１のＮＯ）、携帯電話１ａから接続要求を受信すると（Ｓ７０１のＹＥＳ）、受信した接続要求に含まれる認証情報に基づいて接続認証を行う（Ｓ７０２）。認証情報が一致しない場合は（Ｓ７０３のＮＯ）、携帯電話に接続拒絶通知を送信し（Ｓ７０４）、認証情報が一致する場合には（Ｓ７０３のＹＥＳ）、携帯電話１ａに接続許可通知を送信する（Ｓ７０５）。
【０１０２】
図１５は、本実施形態におけるパソコン２の印刷処理の手順を示すフローチャートである。パソコン２は、携帯電話１ｂからファイル参照要求を受信するまで待機し（Ｓ８０１のＮＯ）、携帯電話１ｂからファイル参照要求を受信すると（Ｓ８０１のＹＥＳ）、ハードディスクに格納されたファイルのうち印刷ジョブの作成可能なものについてのファイル情報を作成し、当該ファイル情報を携帯電話１ｂに送信する（Ｓ８０２）。
【０１０３】
つぎに、携帯電話１ｂから印刷要求を受信するまで待機し（Ｓ８０３のＮＯ）、携帯電話１ｂから印刷要求を受信すると（Ｓ８０３のＹＥＳ）、受信した印刷要求において指定されたファイルについての印刷ジョブを作成する（Ｓ８０４）。
【０１０４】
ついで、ファイアウォール５ａにおいて内部ネットワークから外部ネットワークへの接続のみが許可されたプロトコル、たとえばＦＴＰやＨＴＴＰを用いて、ファイルサーバ４に接続要求を送信する（Ｓ８０５）。前記接続要求を送信後、所定時間内にファイルサーバ４から応答がない場合やファイルサーバ４から接続拒絶通知を受信した場合等、ファイルサーバ４から接続許可通知を受信できなかった場合は（Ｓ８０６のＮＯ）、携帯電話１ａに印刷ジョブアップロードエラー通知を送信し（Ｓ８０７）、ファイルサーバ４との接続を終了する（Ｓ８１１）。ファイルサーバ４から接続許可通知を受信した場合は（Ｓ８０６のＹＥＳ）、作成した前記印刷ジョブをファイルサーバ４にアップロードする（Ｓ８０８）。
【０１０５】
印刷ジョブのファイルサーバ４へのアップロードが完了したら（Ｓ８０９のＹＥＳ）、アップロード先のＵＲＬを携帯電話１ｂに送信し（Ｓ３１５）、ファイルサーバ４との接続を終了する（Ｓ８１１）。
【０１０６】
図１６は、本実施形態におけるプリンタ３ｂの動作を示すフローチャートである。プリンタ３ｂは、携帯電話１ｂから近距離通信回線を介して印刷ジョブアップロード先ＵＲＬを受信するまで待機する（Ｓ９０１のＮＯ）。携帯電話１ｂから前記ＵＲＬを受信すると（Ｓ９０１のＹＥＳ）、ファイアウォール５ｂにおいて内部ネットワークから外部ネットワークへの接続のみが許可されたプロトコル用いて、ファイルサーバ４に接続要求を送信する（Ｓ９０２）。前記接続要求を送信後、所定時間内にファイルサーバ４から応答がない場合やファイルサーバ４から接続拒絶通知を受信した場合等、ファイルサーバ４から接続許可通知を受信できなかった場合は（Ｓ９０３のＮＯ）、操作パネル部３１３に印刷ジョブダウンロードエラーのメッセージを表示し（Ｓ９０４）、ファイルサーバ４との接続を終了する（Ｓ９０５）。ファイルサーバ４から接続許可通知を受信した場合は（Ｓ９０３のＹＥＳ）、前記ＵＲＬに基づいてファイルサーバ４に前記印刷ジョブのダウンロード要求を送信し（Ｓ９０６）、前記ＵＲＬで示されるファイルサーバ４上の前記印刷ジョブが格納されているディレクトリから前記印刷ジョブをダウンロードする（Ｓ９０７）。
【０１０７】
印刷ジョブのファイルサーバ４からのダウンロードが完了したら（Ｓ９０８のＹＥＳ）、ファイルサーバ４との接続を終了し（Ｓ９０９）、ダウンロードした印刷ジョブに基づいて印刷処理を行う（Ｓ９１０）。
【０１０８】
前記第２の実施形態では、携帯電話１ｂがパソコン２から印刷ジョブアップロード先ＵＲＬを受信すると、自動的に受信した前記ＵＲＬをプリンタ３ｂに転送するものであったが（Ｓ５１１、Ｓ６１３およびＳ９０１）、パソコン２から前記ＵＲＬを受信したとき、受信した前記ＵＲＬを一旦ディスプレイ１０４に表示し、ユーザからの転送指示の入力を待ってプリンタ３ｂに転送する構成としてもよい。
【０１０９】
また、前記第２の実施形態では、携帯電話１ｂが受信した前記ＵＲＬを近距離通信回線によりプリンタ３ｂに転送するものであったが（Ｓ５１１、Ｓ６１３およびＳ９０１）、携帯電話１ｂがさらに前記第１の実施形態における携帯電話１ａと同様のネットワークインタフェース１０９を有する構成として、携帯電話１ｂが受信した前記ＵＲＬを内部ネットワーク６ｂを介してプリンタ３ｂに転送するものであってもよいし、前記第１の実施形態と同様にして、携帯電話１ｂが受信した前記ＵＲＬをディスプレイ１０４に表示し、ユーザがプリンタ３ｂの操作パネル部３１３から前記ＵＲＬを入力する構成としてもよい。同様に、前記第１の実施形態において、携帯電話１ａが受信した前記ＵＲＬを内部ネットワーク６ｂを介してプリンタ３ａに転送するものであってもよいし、携帯電話１ａがさらに近距離通信インタフェース１１１を、プリンタ３ａがさらに近距離通信インタフェース３１１を有する構成として、前記第２の実施形態と同様にして、携帯電話１ｂが受信した前記ＵＲＬを近距離通信回線によりプリンタ３ｂに転送するようにしてもよい。
【０１１０】
また、前記第１および第２の実施形態においては、パソコン２が前記ＵＲＬを携帯電話に通知するものであったが（Ｓ１１０、Ｓ２１１、Ｓ３１５、Ｓ５１０、Ｓ６１１およびＳ８１０）、ファイルサーバ４が公衆網用インタフェースを有する構成として、ファイルサーバ４が公衆網を介して携帯電話１ｂに前記ＵＲＬを通知するものであってもよい。この場合、パソコン２は、前記印刷ジョブのアップロードの際（Ｓ５０９およびＳ８０８）、ＵＲＬを通知すべき携帯電話の電話番号を同時にファイルサーバ４に送信し、ファイルサーバ４は前記印刷ジョブのアップロードが完了すると、同時に受信した前記電話番号に基づいて前記ＵＲＬを携帯電話に通知するものである。
【０１１１】
さらに、前記第１および第２の実施形態において、パソコン２が前記印刷ジョブをファイルサーバ４にアップロードする際に、使用するプロトコル、アップロード先のディレクトリ、アップロードしたファイルのファイル名の付け方等を予め定めておくことにより、ユーザは前記ＵＲＬの通知を受けなくとも印刷ジョブをダウンロードすべきＵＲＬを知ることができる。かかる場合、前記第１の実施形態においては、印刷ジョブアップロード先ＵＲＬ通知の手順（Ｓ１１０、Ｓ１１１、Ｓ２１１〜２１３、Ｓ３１５）を省略する構成としてもよい。また、前記第２の実施形態では、ユーザが操作パネル部３１３から前記ＵＲＬを入力する構成とし、印刷ジョブアップロード先ＵＲＬ通知の手順（Ｓ５１０、Ｓ６１１〜６１３、Ｓ８１０）および携帯電話からプリンタへのＵＲＬ転送の手順（Ｓ５１１およびＳ９０１）を省略することができる。
【０１１２】
上記各実施形態では、本発明の画像処理システムを、携帯用端末として携帯電話、画像形成データ送信装置としてパソコン、および画像形成装置としてプリンタを例にして説明したが、本発明はこれに限定されるものではなく、携帯用端末は、携帯電話以外に、ＰＨＳ（登録商標）、ＰＤＡ、ノートパソコン、電子手帳等であってもよい。また、画像形成データ送信装置は、パソコン、ワークステーション、サーバ等のコンピュータ以外に、ファイル格納機能を有する多機能周辺機器（ＭＦＰ）等であってもよい。さらに、画像形成装置は、プリンタ以外に、デジタル複写機、ファクシミリ装置等の印刷機能を有する多機能周辺機器（ＭＦＰ）等や、単体あるいはパソコン等に接続されたＣＲＴディスプレイ、液晶ディスプレイ、プロジェクタ等のディスプレイ装置であってもよい。
【０１１３】
本発明による画像処理システムにおける各装置を構成する各手段、および画像処理方法は、専用のハードウエア回路によっても、プログラムされた上記各装置によっても実現することができる。プログラムされた各装置によって本発明を実現する場合、各装置を動作させるプログラムは、コンピュータ読取可能な記録媒体（たとえば、フロッピーディスクやＣＤ−ＲＯＭなど）によって提供されることができる。この場合、コンピュータ読取可能な記録媒体に記録されたプログラムは、通常、ハードディスク等に転送され記憶される。また、このプログラムは、たとえば、単独のアプリケーションソフトとして提供されてもよいし、また、上記各装置の一機能としてその装置のソフトウエアに組み込んでもよい。
【０１１４】
【発明の効果】
以上説明したように、本発明によれば、携帯用端末と外部ネットワーク上のファイルサーバとを用いて、ファイアウォールを障害とすることなく第１のイントラネット上の画像形成データ送信装置に格納されたファイルを第２のイントラネット上の画像形成装置で画像形成することができる。
【０１１５】
本発明によれば、出張先に携帯電話等の携帯用端末を持参するだけで、自己のパソコン等に格納されたファイルのうち急遽印刷や表示が必要となったものだけを出張先のプリンタから印刷したりモニタ上に表示することができる。
【０１１６】
特に、ファイアウォールの既存の設定を変更することなくファイアウォールの防御機能を担保したままで、印刷したいファイルの印刷ジョブ等を自己のパソコンからインターネット等の外部ネットワークを介して出張先のプリンタに転送し印刷等することができる。
【図面の簡単な説明】
【図１】  本発明の第１の実施形態にかかる画像処理システムの全体構成を示すブロック図である。
【図２】  図１における携帯電話１ａの構成の一例を示すブロック図である。
【図３】  図１におけるパソコン２の構成の一例を示すブロック図である。
【図４】  図１におけるプリンタ３ａの構成の一例を示すブロック図である。
【図５】  図１における印刷処理システムの印刷処理手順を示すシーケンスチャートである。
【図６】  図１における携帯電話１ａの印刷処理手順を示すフローチャートである。
【図７】  図１におけるパソコン２の印刷処理手順を示すフローチャートである。
【図８】  図１におけるプリンタ３ａの動作を示すフローチャートである。
【図９】  本発明の第２の実施形態にかかる画像処理システムの全体構成を示すブロック図である。
【図１０】  図９における携帯電話１ｂの構成の一例を示すブロック図である。
【図１１】  図９におけるプリンタ３ｂの構成の一例を示すブロック図である。
【図１２】  図９における印刷処理システムの印刷処理手順を示すシーケンスチャートである。
【図１３】  図９における携帯電話１ｂの印刷処理手順を示すフローチャートである。
【図１４】  図９における公衆網用認証サーバ８の印刷処理手順を示すフローチャートである。
【図１５】  図９におけるパソコン２の印刷処理手順を示すフローチャートである。
【図１６】  図９におけるプリンタ３ｂの印刷処理手順を示すフローチャートである。
【符号の説明】
１ａ，１ｂ…携帯電話、
２…パソコン、
３ａ，３ｂ…プリンタ、
４…ファイルサーバ、
５ａ，５ｂ…ファイアウォール、
６ａ，６ｂ…内部ネットワーク、
７…外部ネットワーク、
８…公衆網用認証サーバ、
９…公衆網。
【図１】
0004604365.tif 000002
【図２】
0004604365.tif 000003
【図３】
0004604365.tif 000004
【図４】
0004604365.tif 000005
【図５】
0004604365.tif 000006
【図６】
0004604365.tif 000007
【図７】
0004604365.tif 000008
【図８】
0004604365.tif 000009
【図９】
0004604365.tif 000010
【図１０】
0004604365.tif 000011
【図１１】
0004604365.tif 000012
【図１２】
0004604365.tif 000013
【図１３】
0004604365.tif 000014
【図１４】
0004604365.tif 000015
【図１５】
0004604365.tif 000016
【図１６】
0004604365.tif 000017